(57)【要約】【課題】ケーブル保持力の向上を図ることが可能な、また、大型化防止や作業性向上に配慮することが可能なケーブル固定構造及び方法を提供する。【解決手段】挿入筒部２３の内側の空間２８に複数の電線２４を挿入しつつ複数の電線２４とシース２５との内側に挿入筒部２３を挿入し、そして、予めケーブル２１に装着しておいた金属スリーブ２２を挿入筒部２３の位置にスライドさせ、この後に金属スリーブ２２に加締めを施すと、この時、シース２５は金属スリーブ２２の凸部２６と挿入筒部２３の凹部２９とにより挟み込まれる。これにより、シース２５は保持され抜けが生じなくなる。【選択図】図１
2010193571.tif 000002
【特許請求の範囲】
【請求項１】
シースの内側に挿入される筒状の挿入筒部と、前記シースの外側に設けられる筒状の金属スリーブとを用い、該金属スリーブに加締めを施すことによって前記シースを挟み込み、これによりケーブルを固定するケーブル固定構造において、
前記金属スリーブは、該金属スリーブの内側に突出する一又は複数の凸部を予め形成してなるもの、若しくは加締めを施すことにより内側に突出する凸部が一又は複数生じるものであり、
前記挿入筒部は、該挿入筒部の外面における前記凸部に対応する位置に凹部を一又は複数有するもの又は部分である
ことを特徴とするケーブル固定構造。
【請求項２】
請求項１に記載のケーブル固定構造において、
前記挿入筒部は、構造体の一部である
ことを特徴とするケーブル固定構造。
【請求項３】
請求項２に記載のケーブル固定構造において、
前記挿入筒部は、前記シース内側の線材を収容するための部分で分割する分割構造を有するものである
ことを特徴とするケーブル固定構造。
【請求項４】
請求項３に記載のケーブル固定構造において、
前記分割構造は、分割面を段付きに形成して噛み合わせ形状となる分割面を有する
ことを特徴とするケーブル固定構造。
【請求項５】
筒状の挿入筒部を分割した状態にし、この後にケーブルのシース内側に存する線材を分割した状態の前記挿入筒部の所定位置に収容する第１工程と、
分割した状態の前記挿入筒部を合体させてこれを前記シースと前記線材との間に挿入する第２工程と、
前記シースの外側に設けた筒状の金属スリーブに対し加締めを施して前記挿入筒部の凹部と前記金属スリーブの凸部とで前記シースを挟み込む第３工程と、
を行う
ことを特徴とするケーブル固定方法。
【発明の詳細な説明】
【技術分野】
【０００１】
本発明は、金属スリーブを加締めてケーブルを固定する構造及び方法に関する。
【背景技術】
【０００２】
図７を参照しながら下記特許文献１に開示された二つのケーブル固定構造について説明する。
【０００３】
図７（ａ）及び（ｂ）において、引用符号１は電気ケーブルを示している。また、引用符号２は図示しないケースにボルト止めされる固定具を示している。電気ケーブル１は、複数の電線３と、この電線３の外側に設けられるシース４とを備えて構成されている。一方、固定具２は、電気ケーブル１を挿通するためのスリーブ部５と、このスリーブ部５に一体形成されるフランジ部６と、フランジ部６に貫通形成される穴７に差し込まれて上記ケースに対し固定を行う図示しないボルトと、を備えて構成されている。尚、引用符号８は棒状の心金を示している。
【０００４】
上記構成において、電気ケーブル１は、図示の如く複数の電線３の中心位置に心金８を挿入し、この後にスリーブ部５内に差し込まれ、そして、スリーブ部５に加締めを施すことにより固定されるようになっている。スリーブ部５の引用符号９は、加締めにより生じる加締め部を示している。複数の加締め部９は、それぞれ全周にわたって生じるようになっている。電気ケーブル１は、加締め部９と心金８とによりシース４が部分的に圧縮されて挟まれ、これによって電気ケーブル１は固定されるようになっている（心金８を用いるのが一つ目のケーブル固定構造となる）。
【０００５】
図７（ｃ）において、複数の電線３の外側の押さえ巻き１０と、シース４との間には、上記心金８に替わる円筒状の心金１１が挿入されている。上記同様にスリーブ部５に加締めを施すと、加締め部と心金１１とによりシース４が部分的に圧縮されて挟まれ、これによって固定されるようになっている（心金１１を用いるのが二つ目のケーブル固定構造となる）。
【先行技術文献】
【特許文献】
【０００６】
【特許文献１】特開２００７−２９９８１９号公報
【発明の概要】
【発明が解決しようとする課題】
【０００７】
上記従来技術は、スリーブ部５を加締めて電気ケーブル１を固定するケーブル固定構造であるが、この構造では経時劣化などの要因により保持力が低下してしまうことが懸念される。具体的に説明すると、加締めを施すことにより加締め部９が生じるようになるが、心金８や心金１１はこの表面が単なる曲面であることから、シース４が痩せてしまうと保持力の低下は避けられず、このことが懸念される。
【０００８】
この他、上記従来技術は、スリーブ部５内に電気ケーブル１の端末全体を差し込む必要があることから、図示しないケースにも電気ケーブル１のサイズに合わせた大きな穴を貫通形成する必要がある。従って、上記従来技術の場合、ケースにおいては必要十分な穴径を確保しなければならず、ケースの大型化に繋がってしまうという問題点を有する。
【０００９】
尚、電気ケーブル１ではなく、複数の光ファイバをシースで覆った形態のケーブルを使用することを考えると、この場合の作業は、ケーブルを固定具２及びケースに差し込んだ後にケース内で光ファイバの端末加工を行うような手順になる。ケース内での光ファイバ長が短い場合には、ケースの壁面が邪魔になり作業し難くなることから、光ファイバ端末を破損させてしまうという虞がある。
【００１０】
本発明は、上記した事情に鑑みてなされたもので、ケーブル保持力の向上を図ることが可能な、また、大型化防止や作業性向上に配慮することが可能なケーブル固定構造及び方法を提供することを課題とする。
【課題を解決するための手段】
【００１１】
上記課題を解決するためになされた請求項１記載の本発明のケーブル固定構造は、シースの内側に挿入される筒状の挿入筒部と、前記シースの外側に設けられる筒状の金属スリーブとを用い、該金属スリーブに加締めを施すことによって前記シースを挟み込み、これによりケーブルを固定するケーブル固定構造において、前記金属スリーブは、該金属スリーブの内側に突出する一又は複数の凸部を予め形成してなるもの、若しくは加締めを施すことにより内側に突出する凸部が一又は複数生じるものであり、前記挿入筒部は、該挿入筒部の外面における前記凸部に対応する位置に凹部を一又は複数有するもの又は部分であることを特徴としている。
【００１２】
このような特徴を有する本発明によれば、筒状の金属スリーブに対し加締めを施すと、挿入筒部の凹部と金属スリーブの凸部とでシースが挟み込まれた状態になる。凹部と凸部とを複数設ければ、シースは挟み込みによって断面略波形の状態になることから、仮にシースが痩せた（経時劣化）場合であっても引掛かり合う部分が多く、抜けることはない。
【００１３】
請求項２記載の本発明のケーブル固定構造は、請求項１に記載のケーブル固定構造において、前記挿入筒部は、構造体の一部であることを特徴としている。
【００１４】
このような特徴を有する本発明によれば、金属スリーブを構造体に一体化させるよりも、構造体側での線材挿通用の穴を小さくすることが可能になる。従って、線材挿通用の穴径の確保を容易にすることが可能になる。
【００１５】
請求項３記載の本発明のケーブル固定構造は、請求項２に記載のケーブル固定構造において、前記挿入筒部は、前記シース内側の線材を収容するための部分で分割する分割構造を有するものであることを特徴としている。
【００１６】
このような特徴を有する本発明によれば、ケーブル端末の加工をしてからこの加工端末を構造体の内部に入れることが可能になる。
【００１７】
請求項４記載の本発明のケーブル固定構造は、請求項３に記載のケーブル固定構造において、前記分割構造は、分割面を段付きに形成して噛み合わせ形状となる分割面を有することを特徴としている。
【００１８】
このような特徴を有する本発明によれば、加締めを施した際の圧力を形状的に分散させることが可能になる。筒状の金属スリーブをこの全周方向から加締めた場合、分割面が単純な面であると、この分割面の位置でズレが生じてしまう可能性がある（圧力が大きい場合）が、本発明においては噛み合わせ形状の分割面にしていることから、このようなズレは生じることがない。
【００１９】
上記課題を解決するためになされた請求項５記載の本発明のケーブル固定方法は、筒状の挿入筒部を分割した状態にし、この後にケーブルのシース内側に存する線材を分割した状態の前記挿入筒部の所定位置に収容する第１工程と、分割した状態の前記挿入筒部を合体させてこれを前記シースと前記線材との間に挿入する第２工程と、前記シースの外側に設けた筒状の金属スリーブに対し加締めを施して前記挿入筒部の凹部と前記金属スリーブの凸部とで前記シースを挟み込む第３工程と、を行うことを特徴としている。
【００２０】
このような特徴を有する本発明によれば、ケーブル端末の加工をしてからこの加工端末を構造体の内部に入れ、そしてケーブルの固定を行う方法になる。
【発明の効果】
【００２１】
請求項１に記載された本発明によれば、ケーブル保持力の向上を図ることが可能なケーブル固定構造を提供することができるという効果を奏する。
【００２２】
請求項２に記載された本発明によれば、構造体側の大型化防止を図ることができるという効果を奏する。
【００２３】
請求項３に記載された本発明によれば、ケーブル端末の加工を先にすることができるという効果を奏する。これにより、作業性の向上に配慮することができるという効果を奏する。
【００２４】
請求項４に記載された本発明によれば、加締めを施した際の圧力による挿入筒部の変形を防止することができるという効果を奏する。
【００２５】
請求項５に記載された本発明によれば、作業性向上に配慮することが可能なケーブル固定方法を提供することができるという効果を奏する。
【図面の簡単な説明】
【００２６】
【図１】本発明のケーブル固定構造を示す断面図である（第１実施例）。
【図２】ハウジングの分解斜視図である。
【図３】本発明のケーブル固定構造を示す断面図である（第２実施例）。
【図４】ハウジングの分解斜視図である。
【図５】ハウジングの挿入筒部の図であり、（ａ）は側面図、（ｂ）は正面図である。
【図６】加締めの説明に係る断面図である。
【図７】従来例のケーブル固定構造を示す図であり、（ａ）、（ｂ）は一つ目のケーブル固定構造を示す断面図、（ｃ）は二つ目のケーブル固定構造を示す断面図である。
【発明を実施するための形態】
【００２７】
シースの内側に挿入される筒状の挿入筒部と、シースの外側に設けられる筒状の金属スリーブとを用いる。シースの内側に挿入筒部を挿入した状態で金属スリーブに加締めを施すと、この時、シースは金属スリーブの凸部と挿入筒部の凹部とにより圧縮された挟み込まれる。シースは保持され抜けが生じなくなる。ケーブルは固定状態になる。
【実施例１】
【００２８】
以下、図面を参照しながら第１実施例を説明する。図１は本発明のケーブル固定構造を示す断面図である。また、図２はハウジングの分解斜視図である。
【００２９】
図１において、引用符号２１はケーブルを示している。また、引用符号２２は金属スリーブを示している。さらに、引用符号２３は挿入筒部を示している。
【００３０】
本実施例において、ケーブル２１は電気ケーブルであって、複数の電線２４と、この電線２４の外側に設けられるシース２５とを備えて構成されている（電気ケーブルに限るものでなく、光ファイバケーブルであってもよいものとする）。電線２４やシース２５は、公知のものが用いられている。
【００３１】
金属スリーブ２２は、加締めに使用される金属製の円筒であって、加締め型により圧縮されて加締めが施されると、複数の凸部２６が内側に突出するようなものとなっている（凸部２６は予め打ち出しによって形成することも可能であるものとする。この場合、加締めにより打ち出しの深さが深くなるものとする）。凸部２６は、全周にわたって形成されている。金属スリーブ２２は、ケーブル２１のサイズ及び挿入筒部２３の長さに応じて形成されている。
【００３２】
挿入筒部２３は、複数の電線２４とシース２５との内側に挿入される筒状のもの又は部分であって、本実施例においては特に限定するものでないが、図２に示す如く合成樹脂製のコネクタハウジング２７（アッパーハウジング２７ａ、ロアーハウジング２７ｂ）に一体形成されている。
【００３３】
挿入筒部２３は、円筒形状に形成されており、内側の空間２８には複数の電線２４が挿入されるようになっている。また、挿入筒部２３の外面には、金属スリーブ２２の各凸部２６に対応する位置に凹部２９が形成されている（便宜上、図１の凹部２９の数を図２よりも少なくしている。尚、図２の数を少なくして図１のようにしてもよいものとする。十分な保持力を確保することができれば、数は限定されないものとする）。凹部２９は、凸部２６によって内方へ押されたシース２５を圧縮しつつ収容することができるように形成されている。凹部２９は、全周にわたって形成されている。
【００３４】
上記構成及び構造において、ケーブル固定方法は、挿入筒部２３の内側の空間２８に複数の電線２４を挿入（第１工程）しつつ、複数の電線２４とシース２５との内側に挿入筒部２３を挿入し（第２工程）、そして、予めケーブル２１に装着しておいた金属スリーブ２２を挿入筒部２３の位置にスライドさせ、この後に金属スリーブ２２に加締めを施す（第３工程）と、この時、シース２５は金属スリーブ２２の凸部２６と挿入筒部２３の凹部２９とにより挟み込まれる（図１参照）。これにより、シース２５は保持されて抜けが生じない状態となる。ケーブル２１は、ロアーハウジング２７ｂ（図２参照）に対して固定状態となる。
【００３５】
円筒形状の金属スリーブ２２に対して加締めを施すと、挿入筒部２３の凹部２９と金属スリーブ２２の凸部２６とでシース２５が挟み込まれた状態になるとともに、凹部２９及び凸部２６が複数形成されていることから、シース２５は挟み込みによって断面略波形の状態になる。従って、仮にシース２５が痩せた（経時劣化）場合であっても、凹凸による引掛かり合いが多い構造であることから、ケーブル２１は抜けるようなことはない。
【００３６】
以上、図１及び図２を参照しながら説明してきたように、本発明によれば、凹部２９及び凸部２６によって、従来よりもケーブル保持力を向上させることができるという効果を奏する。
【００３７】
また、本発明によれば、挿入筒部２３をコネクタハウジング２７に一体化していることから、従来例よりも複数の電線２４を挿入するためのコネクタハウジング２７側の穴を小さくすることができるという効果を奏する。従って、本発明によれば、線材挿通用の穴径の確保を容易にすることや小型化を図ることができるという効果を奏する。
【００３８】
また、本発明によれば、従来例のような心金８や心金１１（図７参照）を使用しないことから、部品点数の削減及び作業工数の低減を図ることができるという効果を奏する。
【実施例２】
【００３９】
以下、図面を参照しながら第２実施例を説明する。図３は本発明のケーブル固定構造を示す断面図である。また、図４はハウジングの分解斜視図、図５はハウジングの挿入筒部の図であり、（ａ）は側面図、（ｂ）は正面図、図６は加締めの説明に係る断面図である。尚、上記第１実施例と同一の構成部材には同一の符号を付して詳細な説明を省略する。
【００４０】
図３において、引用符号３１はケーブルを示している。また、引用符号３２は金属スリーブを示している。さらに、引用符号３３は挿入筒部を示している。
【００４１】
本実施例において、ケーブル３１は光ファイバケーブルであって、複数の光ファイバ３４と、この光ファイバ３４の外側に設けられるシース３５とを備えて構成されている（第１実施例の電気ケーブル２１であってもよいものとする）。光ファイバ３４やシース３５は、公知のものが用いられている。
【００４２】
金属スリーブ３２は、加締めに使用される金属製の円筒であって、加締め型により圧縮されて加締めが施されると、複数の凸部３６が内側に突出するようなものとなっている（凸部３６は予め打ち出しによって形成することも可能であるものとする。この場合、加締めにより打ち出しの深さが深くなるものとする）。凸部３６は、全周にわたって形成されている。金属スリーブ３２は、ケーブル３１のサイズ及び挿入筒部３３の長さに応じて形成されている。
【００４３】
挿入筒部３３は、複数の光ファイバ３４とシース３５との内側に挿入される筒状のもの又は部分であって、本実施例においては特に限定するものでないが、図４に示す如く合成樹脂製の光コネクタハウジング３７（アッパーハウジング３７ａ、ロアーハウジング３７ｂ）に一体形成されている。
【００４４】
挿入筒部３３は、複数の光ファイバ３４を収容するための収容部分３８（図４及び図５参照。分割した状態の収容部分を３８ａ、３８ｂとする）で分割される分割構造を有しており、分割した状態の一方の挿入筒部３３ａがアッパーハウジング３７ａに、他方の挿入筒部３３ｂがロアーハウジング３７ｂに一体形成されている。分割構造は分割面を有しており、この分割面は、図４及び図５に示す如く、段付きに形成される噛み合わせ形状分割面３３ｃ、３３ｄを有するように形成されている。噛み合わせ形状分割面３３ｃ、３３ｄは、挿入筒部３３を側面から見た場合に凹凸形状の噛み合わせ、挿入筒部３３の端面から見た場合も凹凸形状の噛み合わせとなるように形成されている（図５参照）。
【００４５】
複数の光ファイバ３４を収容するための収容部分３８は、上記分割構造を有することから、第１実施例のように線材を挿入する必要性はなく、よって極力小さな径で形成されている。
【００４６】
挿入筒部３３は、円筒形状に形成されている。挿入筒部３３の外面には、金属スリーブ３２の各凸部３６に対応する位置に凹部３９が形成されている（便宜上、図３の凹部３９の数を図４及び図５よりも少なくしている。尚、図４及び図５の数を少なくして図３のようにしてもよいものとする。十分な保持力を確保することができれば、数は限定されないものとする）。凹部３９は、凸部３６によって内方へ押されたシース３５を圧縮しつつ収容することができるように形成されている、凹部３９は、全周にわたって形成されている。
【００４７】
上記構成及び構造において、ケーブル固定方法は、挿入筒部３３を分割した状態、すなわち挿入筒部３３ａ、３３ｂの状態にするとともに、この後に予め端末加工をしておいた複数の光ファイバ３４を収容部分３８ｂに収容し（第１工程）、そして、分割した状態の挿入筒部３３ａ、３３ｂを合体させてこれをシース３５と複数の光ファイバ３４との間に挿入し（第２工程）、そして、予めケーブル３１に装着しておいた金属スリーブ３２を挿入筒部３３の位置にスライドさせ、この後に金属スリーブ３２に加締めを施す（第３工程）と、この時、シース３５は金属スリーブ３２の凸部３６と挿入筒部３３の凹部３９とにより挟み込まれる（図３参照）。これにより、シース３５は保持されて抜けが生じない状態になる。ケーブル３１は、光コネクタハウジング３７（図４参照）に対して固定状態となる。
【００４８】
円筒状の金属スリーブ３２に対して加締めを施すと、挿入筒部３３の凹部３９と金属スリーブ３２の凸部３６とでシース３５が挟み込まれた状態になるとともに、凹部３９及び凸部３６が複数形成されていることから、シース３５は挟み込みによって断面略波形の状態になる。従って、仮にシース３５が痩せた（経時劣化）場合であっても、凹凸による引掛かり合いが多い構造であることから、ケーブル３１は抜けるようなことはない。
【００４９】
円筒状の金属スリーブ３２に対する加締めに関しては、図６に示す如くの加締め型４１を使用するようになっている（便宜上、ケーブル３１の図示を省略する）。加締め型４１は、上型４１ａ及び下型４１ｂと、これらを可動させる図示しない機構部とを備えて構成されている。上型４１ａ及び下型４１ｂは、金属スリーブ３２に対して打ち出しをするような凸部４２を複数有している。
【００５０】
尚、挿入筒部３３は、加締めを施した際の圧力を分散させることができるような形状になっている。すなわち、円筒形状の金属スリーブ３２をこの全周方向から加締めて大きな圧力を掛けても、この圧力は噛み合わせ形状分割面３３ｃ、３３ｄによって図５（ｂ）の矢印のように受けられ、形状的に分散されるようになっている。挿入筒部３３は、加締めを施した際の圧力によって位置ズレするようなことがない形状に形成されている（位置ズレがなければ光ファイバ３４を噛み込んでしまうことはなく、より良い分割構造になる）。
【００５１】
以上、図３ないし図６を参照しながら説明してきたように、本発明によれば、凹部３９及び凸部３６によって、従来よりもケーブル保持力を向上させることができるという効果を奏する。
【００５２】
また、本発明によれば、挿入筒部３３を光コネクタハウジング３７に一体化していることから、従来例よりも複数の光ファイバ３４に対する光コネクタハウジング３７側の穴を小さくすることができるという効果を奏する。従って、本発明によれば、線材挿通用の穴径の確保を容易にすることや小型化を図ることができるという効果を奏する。
【００５３】
また、本発明によれば、従来例のような心金８や心金１１（図７参照）を使用しないことから、部品点数の削減及び作業工数の低減を図ることができるという効果を奏する。
【００５４】
また、本発明によれば、挿入筒部３３を分割構造にしていることから、複数の光ファイバ３４を穴に挿入する必要性がなく、結果、光ファイバ３４の端末加工を挿入筒部３３への収容前にすることができるという効果を奏する。これにより、作業性の向上や光ファイバ３４の損傷防止に配慮することができるという効果を奏する。
【００５５】
また、本発明によれば、噛み合わせ形状分割面３３ｃ、３３ｄを有する分割構造にしていることから、加締めを施した際の圧力による挿入筒部３３の変形を防止することができるという効果を奏する。
【００５６】
この他、本発明は本発明の主旨を変えない範囲で種々変更実施可能なことは勿論である（例えば、挿入筒部２３をコネクタハウジング２７に対して後付けするような別体構造にしてもよいものとする）。
【符号の説明】
【００５７】
２１…ケーブル
２２…金属スリーブ
２３…挿入筒部
２４…電線（線材）
２５…シース
２６…凸部
２７…コネクタハウジング（構造体）
２８…空間
２９…凹部
３１…ケーブル
３２…金属スリーブ
３３…挿入筒部
３３ａ、３３ｂ…挿入筒部
３３ｃ、３３ｄ…噛み合わせ形状分割面
３４…光ファイバ（線材）
３５…シース
３６…凸部
３７…光コネクタハウジング（構造体）
３８…収容部分
３９…凹部
４１…加締め型
４１ａ…上型
４１ｂ…下型
４２…凸部
【図１】
2010193571.tif 000003
【図２】
2010193571.tif 000004
【図３】
2010193571.tif 000005
【図４】
2010193571.tif 000006
【図５】
2010193571.tif 000007
【図６】
2010193571.tif 000008
【図７】
2010193571.tif 000009